Podtech/llm-jp-corpus-v4-ja_patent huggingface dataset:
(57)【要約】      （修正有）【課題】重大な機密性を有する程のものではないが、第三者に見られたくないという文書を暗号化データと暗号化回路を用いて、所定のフォーマットに暗号化し、第三者に解読されにくい、暗号化および解読の作成方法を提供する。【解決手段】暗号化データにおいて、三角関数の三角比の値を利用し、比の値を移動の表現方法に変えて、移動の方向性を定め、規則化し、三角比の表現を生成することである。もう一つの新規な点は、文字入力の種類と文字配列の種類の組み合わせ方法によって、メッセージの暗号化方法が多種類生成できることである。暗号化データと、所定のフォーマットを用いて、メッセージを暗号化した変換表としてメモリに記憶し、送信メールの作成、および送出を可能にさせ、受信時の暗号表を伝言キーワードに対応させて元のメッセージに変換することを可能にした。【選択図】図１
2009181117.tif 000002
【特許請求の範囲】
【請求項１】
暗号化データと暗号化回路を用いて、所定のフォーマットに対応する暗号化または解読することを特徴とする暗号化されたファイルを作成または解読するファイル作成方法。
【請求項２】
暗号化データ図２で示した種類別移動手段と、図３で示した文字配列の種類を組み合わせて、暗号化回路を選択し、選択手段を伝言キーワードとしたフォーマット作成方法。
【請求項３】
暗号化回路で選択したフォーマットを予めメモリに記憶するフォーマット記憶手段と、記憶したフォーマットを読み出して前記伝言キーワードに対応させて、メッセージを所定の場所に埋め込んだ暗号表作成方法。
【請求項４】
メッセージを所定の場所に埋め込んだ暗号表に対応させ、空白欄にダミー文字を埋め込んだ暗号表作成方法。
【請求項５】
受信した暗号表を伝言キーワードに対応させて、元のメッセージに変換させるためのメッセージを解読するファイル作成方法。
【発明の詳細な説明】
【発明の詳細な説明】
【技術分野】
【０００１】本発明は、暗号化データと暗号化回路を用いた暗号表の作成方法に関するものである。
【背景技術】
【０００２】従来の暗号化データ作成方法は、伝送すべきデータを鍵により暗号化することにより作成するというものである。このような暗号化データと暗号化回路を選択し暗号表を作成するという暗号化処理方法が行われるものはなかった。
【発明が解決しようとする課題】
【０００３】近年コンピュータ等の普及に伴い、様々な情報が電子情報として取り扱われるようになってきている。これに伴い、電子情報の保護に対する必要性が増大し、暗号化等の処理を施すことで電子情報の保護がなされるようにする必要がある。そこで暗号化データと暗号化回路を組み合わせて、その選択手段を伝言キーワードとした暗号表を作成する方法を提供することを目的とする。
【０００４】伝言キーワードによる暗号表を作成する方法は、メール以外の他の目的にも自在に利用できる暗号化したメッセージ作成方法を提供することを目的とする。
【課題を解決するための手段】
【０００５】請求項１の発明は、暗号化データと暗号化回路を用いて、所定のフォーマットに対応する暗号化または解読することを特徴とする暗号化されたファイルを作成または解読するファイルを作成することを特徴としたものである。
【０００６】請求項２記載の発明は、暗号化データ図２と図３を組み合わせて、暗号化回路を選択し、選択手段を伝言キーワードとしたことを特徴としたものである。
【０００７】請求項３の発明は、暗号化回路で選択したフォーマットを予めメモリに記憶するフォーマット記憶手段と、記憶したフォーマットを呼び出して前記伝言キーワードに対応させてメッセージを所定の場所に埋め込んで暗号表を作成することを特徴としたものである。
【０００８】請求項４の発明は、メッセージを所定の場所に記憶させた暗号表に対応させ，空白欄にダミー文字を埋め込んだ暗号表を作成することを特徴としたものである。
【０００９】請求項５の発明は、受信した暗号表を伝言キーワードに対応させて、元のメッセージに変換させるためのメッセージを解読するファイル作成することを特徴としたものである。
【発明を実施するための最良の形態】
【００１０】以下、この発明の実施の形態について添付図面に基づいて説明する。
図１は、暗号化データの基となる形態の種類と暗号化回路の実施形態の基本とする。【００１１】図２は、本発明の暗号化回路の種類別移動手段を図示化したものである。図で示す通り、一つの指示に対し４文字が割り当てられる。指示の種類によって割り当てられる文字の位置が異なることを示した一例であり、暗号化データとするものである。【００１２】図３は、図２で示した一つの指示で割り当てられた４文字の配列方法の組み合わせ方を示したものであり、暗号化回路の文字配列の組み合わせ方を暗号化データとするものである。【００１３】暗号化データの図２で示した種類別移動手段と、図３で示した文字配列の組み合わせ方を暗号化回路として選択し、選択手段を伝言キーワードとする。【００１４】暗号化回路で選択した伝言キーワードにより、フォーマット（暗号表）を作成し、予めメモリに記憶するフォーマット（暗号表）記憶手段と、記憶したフォーマットを読み出して、前記伝言キーワードに対応させてメッセージを所定の場所に埋め込んでいくものとする。【００１５】メッセージを所定の場所に埋め込んだ暗号表に対応させ．空白欄にダミー文字を埋め込み暗号表を完成させる。【００１６】受信した暗号表を伝言キーワードに対応させて，元のメッセージに変換させるためのファイルを作成し解読する。
【発明の効果】
【００１７】この発明は、以上説明したように、二種類の暗号化データの組み合わせによる暗号化方法であって、二種類の暗号化データの組み合わせ方法が多種類生成できる。そして伝言キーワードに対応させない限り、第三者に解読されにくい暗号化ファイルを作成できるようにしたものである。
【００１８】暗号化データから暗号化回路を選択し、メッセージに対応させるだけなので暗号化作成が容易である。伝言キーワードにより作成したフォーマットを予めメモリに記憶しておけば、そのフォーマットの設定を呼び出すだけでメッセージの暗号化を簡単に作成することができる。
【００１９】受信の場合にも、伝言キーワードにより容易に通常文字のメッセージとすることができるので読み取りが容易である。
【図面の簡単な説明】
【図１】暗号化データの種類別移動手段の移動方向を規則化するために用いた三角関数の性質を移動の方向性を規則化した図である。
【図２】規則化された移動方法において、移動手段を図式化し、割り当てられる４文字の位置の異なることを示したものである。
【図３】４文字の配列方法の組み合わせ方を示したものである。
【図４】本発明の基本構成を示すブロック図
【符号の説明】
▲１▼    端末
▲１１▼  伝言キーワード記憶手段
▲１２▼  フォーマット記憶手段
▲１３▼  メッセージ作成手段
▲１４▼  暗号化データ
▲１５▼  暗号化回路
▲１６▼  暗号化フォーマット
▲１７▼  表示手段
▲１８▼  送受信手段
【図１】
2009181117.tif 000003
【図２】
2009181117.tif 000004
【図３】
2009181117.tif 000005
【図４】
2009181117.tif 000006
(57)【要約】      （修正有）【課題】従来の常用メガネは、遠くを見たときと近くを見たときの眼の瞳孔間距離の変化が考慮されておらず、読書など近くを長時間見ると疲れやすかった。そこで読書などで近くを見るために長時間使用しても疲れにくいメガネを提供すること。【解決手段】近くを見た時、瞳孔間距離が４ミリから５ミリ縮むことを考慮し、メガネに伸縮できるブリッジを設けたり、左右に伸縮できる前枠を設け、近用瞳孔間距離にし、必要のないプリズムを軽減する。【選択図】図１
2009025323.tif 000002
【特許請求の範囲】
【請求項１】
ブリッジ部分が伸縮するメガネ
【請求項２】
フロント部分が左右に伸縮するメガネ
【請求項３】
メガネの伸縮するブリッジ
【発明の詳細な説明】
【技術分野】
【０００１】
この発明は、常用メガネを近くを見るために用いても疲れにくく長時間の読書を可能にするメガネの形状に関するものである。
【背景技術】
【０００２】
従来のメガネの形状は、ブリッジやフロントは伸縮できなかった。
遠くを見るときと近くを見るときの瞳孔間距離（PD）が変化すること、またそのことで不必要なプリズムが発生していた。近視の方の常用メガネとして視力矯正に使われるマイナスレンズの場合、常用メガネで近くを見るとベースインプリズムが生じ、片眼づつ見ている各々の像がベースインプリズムがない場合に比べて左右に広がるため、片眼づつ見ている像を寄せようと眼筋に負担がかかっていた。登録実用新案第3017094号にある折畳み式メガネにあるものは、顔のサイズにあわせて左右レンズを拡張調節するものであるが、用途が本発明と違い、いろんなサイズの顔の大きさに対応させているものであり、本発明は、常用メガネとして遠用メガネのPDで作られた矯正レンズ装着後のメガネフレームを読書など近くのものを見るとき、近用のPDにすぐに調整でき、不必要なプリズム作用による近用時の眼筋疲労を軽減させること用途としています。
またブリッジを中心とした伸縮構造やふちなしメガネ（ツーポイントメガネ）用の構造もあります。
【特許文献１】登録実用新案第３０１７０９４号
【発明の開示】
【発明が解決しようとする課題】
【０００３】
従来の常用メガネによれば、遠くを見たときと近くを見たときの眼の瞳孔間距離が考慮されておらず、近くを見た時、瞳孔間距離が短くなるので近視の方の視力矯正に使われるマイナスレンズの場合、ベースインプリズムが発生し、、片眼づつ見ている各々の像がベースインプリズムがない場合に比べて左右に広がるため、片眼づつ見えている各々の像を寄せようとし、疲れやすかった。遠視の方の場合、必要のないベースアウトプリズムが生じ片眼づつ見えている各々の像を拡げようとし、疲れやすかった。
そこで、この発明は、近くを見た時、瞳孔間距離が４ミリから５ミリ縮むことを考慮し、ブリッジや前枠を伸縮させ、近用PDにし、必要のないプリズムを発生させないことで、読書など長時間しても疲れにくいメガネを提供することを課題とする。
【課題を解決するための手段】
【０００４】
以上の課題を解決するために、第一発明は、伸縮できるブリッジを設けたことを特徴とするメガネである。
また、第二発明は、左右に伸縮できる前枠を設けたことを特徴とするメガネである。
【発明の効果】
【０００５】
近視の方が遠くを見るためのメガネを掛けて近くを見た場合、レンズの光学の中心より鼻側に視線がきて、マイナスレンズの場合ＢＩ（ベースイン）プリズムが発生し眼が疲れやすいです。第一発明、または第二発明によれば、近くを見るようにブリッジやフロントを縮め、近用のPDにて、必要のないプリズムを軽減し快適に読書ができます。
【発明を実施するための最良の形態】
【０００６】
この発明の一実施形態を、図１に示す。
メガネ本体は樹脂製や金属製であり、この本体のブリッジには、伸縮可能なブリッジが設けられている。１は近用使用時メガネ本体で２は遠用使用時メガネ本体である。レンズは球面レンズが望ましい。非球面レンズですとPDを変えることで球面度数の変化も考慮が必要である。  
【０００７】
「実施形態の効果」
この実施形態によれば、常用の視力矯正レンズ装着後のメガネで近くを見るとき、ブリッジを中心に４ミリから５ミリ縮め、近用PDとし、不必要なプリズムは発生させずに、長時間読書が可能になる。またブリッジの外枠５に鼻パッド付けたことにより、近用使用時遠用使用時にブリッジを伸縮させても、鼻幅は一定に保つことができる。
【０００８】
「他の実施形態」
図１の実施形態では、ブリッジで伸縮させるタイプであったが、フロントが一枚板からの削りだしなどは、前枠を左右に伸縮させる形態も考えられる。ツーポイントふち無しフレームは実施形態１のブリッジ可動部７になるところが、９になる。
【図面の簡単な説明】
【０００９】
【図１】この発明の一実施形態を示す正面図である。
【図２】ブリッジ部分の縦断面図である。
【図３】ブリッジ部分の分解図である。
【図４】ふち無しフレームのブリッジ可動部
【符号の説明】
【００１０】
１  近用使用時メガネ本体            ２  遠用使用時メガネ本体
３  遠用使用時ブリッジ              ４  近用使用時ブリッジ
５  ブリッジ外枠                    ６  ブリッジストッパー
７  ブリッジ可動部                  ８  ブリッジの芯
９  ふち無しフレームのブリッジ可動部
【図１】
2009025323.tif 000003
【図２】
2009025323.tif 000004
【図３】
2009025323.tif 000005
【図４】
2009025323.tif 000006
(57)【要約】【課題】自車両付近の人間や壁などの障害物を検知して運転者にその情報を知らせる車両用超音波信号処理装置は既に広く知られている。しかし従来の装置では部品構成が多く専門的な装着技術が必要であった。そのため装着に時間がかかり装着にコストが発生した。【解決手段】電源の配策が不要でコントロールユニット、インジケーター、ブザーの装着が不要となる為、超音波センサ装置の装着において専門的な技術が不要となり誰でも容易に装脱着することが可能になる。【選択図】図２
2009025250.tif 000002
【特許請求の範囲】
【請求項１】
車両シガーソケットから電源を直接取り出すことができる構造の超音波センサ装置
【請求項２】
複数の超音波センサを備え、当該個々の超音波センサの受信時間に関する複数の情報を同時処理し、反射物体までの距離を演算処理する機能を有するＣＰＵ（中央演算）を有することを特徴とする、請求項１に記載の超音波センサ装置
【請求項３】
外部物体までの距離を演算した情報をもとに、ＬＥＤ表示とブザ−出力することを特徴とした、請求項１及び請求項２に記載の超音波センサ装置
【発明の詳細な説明】
【技術分野】
【０００１】
本発明は、超音波処理装置に関するものである。
【背景技術】
【０００２】
図３は背景技術の構成を示す。システム制御装置（ａ）からセンサ制御装置（ｂ）へ発信信号を送信し、センサ制御装置（ｂ）は発信信号に従い送波器から超音波を送出し検知範囲内にある物体からの反射波を受信機で受信して、反射波の検出波形処理後システム制御装置（ａ）に反射波の状態を返信する。
このようなシステムではさらに警報する為のブザー（ｃ）、光表示する為インジケーター（ｄ）、電源を取り出す配線（ｅ）から構成される。このような超音波センサ装置を車両用に用いれば、検出された障害物が所定距離内にあるときに警報を発することができ、設定した検出距離範囲によって前方障害物との接触を防止し、あるいは駐車時車庫の壁に接触することなく所定の位置に容易に駐車することができる。
【特許文献１】特開昭５６−９２４８３号
【非特許文献１】「センサのしくみ」  電波新聞社  Ｐ２０８超音波発信回路  Ｐ２１０超音波受信回路
【発明の開示】
【発明が解決しようとする課題】
【０００３】
しかしながら、上記なような超音波信号処理装置において装着する為には多くの部品（図３）の設置と専門的技術が必要であった。したがって本発明は、上記従来の問題点に鑑み容易に装着脱着できる超音波センサ装置を提供することを目的とする。
【課題を解決するための手段】
【０００４】
請求項１の本発明方法は専門的な装着技術は不要で誰でも容易に電源を取れる。又請求項２のコントロールユニットと請求項３の表示ＬＥＤ、ブザーが同一構造に内蔵される為各々の装着も不要となる。
【発明の効果】
【０００５】
以上のとおり、本発明は、電源の配策が不要でコントロールユニット、インジケーター、ブザーの装着が不要となる為、超音波センサ装置の装着において専門的な技術が不要となり少ない部品で誰でも容易に装脱着することが可能になる。
【発明を実施するための最良の形態】
【０００６】
以下、本発明の実体の形態を実施例により説明する。図１は本発明を車両用の超音波センサ装置に適用した実施例の全体構成を示すブロック図である。システム制御装置は複数のセンサ制御装置に接続される。センサ制御装置は発信器３にマイク駆動部２を介して、超音波の送信・受信兼用の超音波マイク１が接続されている。超音波マイク１は例えば車両のリヤバンパ後方向けて設置され、あるいはフロントバンバー前方へ向け設置される。なお、ここでは１個の超音波マイクについてのみ説明する。ＣＰＵ１３から出力発信信号が出力される。送信回路１１はＣＰＵ１３からの信号を受けて送信される。センサ制御回路はシステム制御装置からの信号を受け発振器３へ出力信号を出す。発振器３は一定周期でパルス信号を出力する。マイク駆動部２は発振器３からのパルス信号を受けて、その時間幅の間だけ例えば４０ＫＨｚの駆動信号を出力して、これにより超音波マイク１が超音波を送出する。送出された超音波は障害物に反射し、距離に比例した時間をおいて超音波マイク１に受信される。超音波マイク１はさらに検波５、増幅６が接続され順次バンドパスフィルター回路７、波形整形回路８、信号出力回路９が接続され、信号出力回路９は通信線Ｓに反射波信号を出力する。システム制御装置は通信線（Ｓ）を通し受信回路１２を介しＣＰＵ１３に入力される。このような課程によりＣＰＵ１３は複数のセンサ制御装置をコントロールし距離演算をおこなう。
図２は本発明の実施例の構造を示す。シガーから電源供給可能１５なケース１６内にセンサ制御システムを制御するＣＰＵ１３と警報する為のブザー１４、光表示のＬＥＤ４で構成される。
【産業上の利用可能性】
【０００７】
本発明は軽量小型となる為、車の障害物検知システムのみならず盲人用の障害物検知装置などの医療分野に適用できる。
【図面の簡単な説明】
【０００８】
【図１】本発明を適用した実施例の全体構成を示すブロック図
【図２】本発明を適用した実施例の構造を示す構成図。
【図３】従来技術の全体構成を示すブロック図
【符号の説明】
【０００９】
１超音波マイク
２マイク駆動部
３発振器
４インジケーター（ＬＥＤ）
５検波
６増幅
７パンドパスフィルター回路
８波形整形回路
９信号出力回路
１０定電圧回路
１１送信回路
１２受信回路
１３ＣＰＵ（演算素子）
１４ブザー
１５電源ハーネス
１６ケース
（ａ）システム制御装置
（ｂ）センサ
（ｃ）ブザー
（ｄ）インジケーター（ＬＥＤ）
（ｅ）電源
【図１】
2009025250.tif 000003
【図２】
2009025250.tif 000004
【図３】
2009025250.tif 000005
(57)【要約】      （修正有）【課題】掲示板や広告物等の表示方法において、一所に居ながらにして広範囲の表示物を認識出来るようになり、目の焦点調節も軽減される表示方法を提供する。【解決手段】表示物を見る人の目から表示面までの距離を等しくするように表示物を見る人との位置関係や、表示媒体の大きさなどにも配慮し湾曲度を調整した。表示物を見る人の視点Ｏから、表示物それそれの地点Ａ、Ｂ、Ｃまでの距離Ｏ―Ａ、Ｏ―Ｂ、Ｏ―Ｃが等しくなるように表示面１の湾曲度を調整する。【選択図】図１
2009025775.tif 000002
【特許請求の範囲】
【請求項１】
掲示板や広告物等の表示方法において、表示物を見る人の目から表示面までの距離を等しくする様、凹状曲面を応用した表示方法
【発明の詳細な説明】
【技術分野】
【０００１】本発明は、表示物を見る人の目から表示面までの距離を等しくする様凹状曲面を応用した表示方法に関するものである。
【背景技術】
【０００２】従来、掲示板や広告物において、垂直平面に書き込むものや貼付けるタイプのものがあった。また、直接に壁等へ貼付けていた。
展示物においても、直線上に並べられる事が多かった。
パソコンのディスプレーにおいて凸状曲面や平面の物があった。
書物を開き、表示する場合の台に平面が使われていた。
【発明の開示】
【発明が解決しようとする課題】
【０００３】しかしながら、従来の技術では、表示物を見る際に、目の焦点を合わせるため、首をかしげたり、体を傾けたり、さらには歩いて焦点の定まる位置まで行く等の労力がかかった。
また、一項目の表示物を見る際にしても、平面に表示されている事によって目の焦点距離が変動し、その度に焦点の調整がされるという難点があった。
また、紙状の物を貼付けたりするにあたっては、平面の場合、形状の安定に欠けるという難点があった。
更に、光の反射が一方向に多くなる為、不鮮明な表示となる等の難点があった。
パソコンのディスプレーや、書物の表示においても同様に、中央から左右上下までの焦点距離が変わるため、その都度、目の焦点調整に労力がかかる難点があった。
【課題を解決するための手段】
【０００４】本発明は、掲示板や広告物等の表示方法において、表示物を見る人の目から表示面までの距離を等しくする様、凹状曲面を応用した表示方法により上記課題を解決するものである。
【発明の効果】
【０００５】請求項１の発明によれば、表示物を凹状曲面上に配置し、表示する事により、目から表示物までの距離が一定に近づき、一所に居ながらにして広範囲の表示物を認識出来る様になる。
また、目の焦点調節が可能な限り軽減され、反射光も極めて小さなものとなる。
更に、紙状の物を湾曲させる事により、形状は安定し表面もなめらかとなる。
【発明を実施するための最良の形態】
【０００６】図面を参照して本発明の実施の形態を説明する。
材質は、ほぼ従来のもので、熱加工やプレス加工または資材の配置を工夫する等により、表示面が凹状曲面となる加工を施す。
使途によって各々、［図１］、［図２］、［図３］の凹状曲面１を形成する。
その曲面は、表示物を見る人との位置関係や、表示媒体の大きさなどにも配慮し湾曲度を調整したものである。
表示物を見る人の視点Ｏから、表示物それそれの地点Ａ、Ｂ、Ｃまでの距離Ｏ―Ａ、Ｏ―Ｂ、Ｏ―Ｃが等しくなる様、表示面１の湾曲度を調整する。
【実施例】
【０００７】商店の案内板に利用したり、不動産物件の表示に利用する。【０００８】店舗でのディスプレーに利用したり、展示棚に利用する。【０００９】パソコンのディスプレーに応用したり、書見台に利用する。【００１０】各種、道路標識など交通表示物に利用する。
【図面の簡単な説明】
【図１】掲示板、広告板の斜視図である。
【図２】卓上ディスプレーの斜視図である。
【図３】書見台の斜視図である。
【符号の説明】
１  凹状に形成された各々表示面本体
Ｏ  表示物を見る人の視点
Ａ  表示物中央部
Ｂ  表示物左部
Ｃ  表示物右部
【図１】
2009025775.tif 000003
【図２】
2009025775.tif 000004
【図３】
2009025775.tif 000005
(57)【要約】【課題】従来、絵画デッサン（スケッチ）を補助する為の用具として見取り枠、写生用定規、写生器などは知られているが、屋内、屋外での使用を問わず、写生対象の大きさ、位置などの構図を自由に調整でき、その状態を保持できる機器は用いられていない。【解決手段】一般的な写生に用いられる画板に容易に取り付けられ、見取り枠も簡単にセットできる構造を有し、使い方として対象を見取り枠で覗きながら２つの揺動板を前後に動かすだけで対象の拡大縮小と位置（構図）を決める事が出来、調整後はその状態を保持することが出来る為に見取り枠を覗きながら簡単にデッサン（スケッチ）を描く事ができる写生器である。【選択図】図２
2009025777.tif 000002
【特許請求の範囲】
【請求項１】
見取り枠の取り付け及び写生用画板への取り付けが可能で、見取り枠から覗いた写生対象を前後・左右・上下・傾斜角度を動かして簡単に構図を調整することが出来る揺動板と摩擦軸、及び軸受け穴で構成され、調整後に摩擦軸と軸受け穴の摩擦によりその位置を保持することが出来る見取り枠自在調整写生器
【発明の詳細な説明】
【技術分野】
【０００１】本発明は屋内、屋外で写生する場合デッサン（スケッチ）を容易にする見取り枠の自在調整写生器に関するものである。
【背景技術】
【０００２】デッサン（スケッチ）を補助する見取り枠や写生定規、あるいは絵画や写真などを模写する模写冶具、写生器などは知られているが、見取り枠が取り付け可能で写生対象の構図（大きさ、位置など）を自由に調整でき構図を保持できる機器は用いられていない。【０００３】見取り枠の使用は片手で持って使う為に前後、左右、上下、傾斜角度、などを手加減で一時的に見ることは出来るが手ぶれなどがあり位置の再現が困難な問題があり写生対象を参考に覗き見るということに限定されている。
【特許文献１】実用新案出願平４−７０７３３
【特許文献２】特許出願平３−３５５３６０
【特許文献３】特許出願平９−１５０４８３
【特許文献４】特許出願２００４−３２１２５９
【発明の開示】
【発明が解決しようとする課題】
【０００４】以上のべた従来の写生用機器では見取り枠そのものを改良したものや、見取り枠を台の上に固定し模写する機器などが発表されているが写生用として一般的には使用されていない。【０００５】本発明はこのような従来の問題を解決するために写生対象の構図を簡単に調整することが出来、又その状態を保持することが可能であるために容易にデッサン（スケッチ）を描くことが出来るコンパクトで持ち運びにも便利な写生用機器をである。
【課題を解決するための手段】
【０００６】そして、本発明は上記目的を達成する為に前後・左右・上下・傾斜角度を調整する為の２つの摩擦軸と２つの揺動板、及び画板にセットする為の画板セット板から構成されている。１つの揺動板には見取り枠を取り付けることが出来る。
【発明の効果】
【０００７】上述したように本発明は見取り枠を使用して構図を決めるときに対象の大きさ、位置などを自在に調整出来、調整後の構図を保持できる写生器を提供する。【０００８】  また、構造が簡単でコンパクトに出来る為に持ち運びに便利である。
【発明を実施するための最良の形態】
【０００９】以下本発明の実施の形態を図１〜図３にもとづいて説明する。【００１０】図２において揺動板１は一端に見取り枠をセットする溝、もしくはクランプ部分を持ち他端に前後上下に調整する摩擦軸１の軸受け穴があいている。揺動板２は両端部に前後、上下、傾斜角度を調整する摩擦軸１、２を取り付ける穴があいている。画板セット板は一端に画板をセットする溝、もしくはクランプ部分を持ち他端に摩擦軸２の軸受け穴があいている。摩擦軸１．２は前後、上下、傾斜角度を調整する場合のヒンジピンで揺動板２の穴に固定されている。摩擦軸１，２は揺動板１及び画板セット板の軸受け穴にはめ合わされていて容易に回転するが止めた場合にはその回転角度を保持できる様にフリクションを持たせる形状を有している。
揺動板、及びセット板などの材質についての一例としてはプラスチック、木材、厚紙、軽金属などが利用出来る。又回転軸部にフリクションを持たせる構造としてはハトメなどを使用して軽くカシメる方法や軸或いは軸受け穴にスプリング力を持たせる方法がある。【００１１】図１は使用状態の外観図面である。又図２は本発明部分の詳細図である。図２において揺動板１の見取り枠セット部に見取り枠をセットし、画板セット板の画板セット部に画板をセットした状態の図面である。写生の対象を見取り枠で覗きながら、左右の調整が必要な場合は画板セット板の画板上を左右に動かして調整することが可能である。そして揺動板１．２を手で揺動させて前後・上下・傾斜角度を調整して構図を決め、決まったら手を離せばその状態を保持しているので両手がフリーの状態でデッサン（スケッチ）を容易に描くことが出来る。【００１２】図３は本発明と同等の機能を持つ別の形態としてテーブル上で使用するタイプ（卓上用）の図面である。内筒と外筒が組み合わされた形をしておりテーブル上に置いて使用される。前後・左右の調整はテーブル上を移動することにより行う、又上下の調整は内筒上部の溝にセットされた見取り枠を覗きながら外筒を片手で押さえた状態で内筒をもう一方の手で上下に引き出したり押し下げたりして調整する。内筒と外筒は容易にずれないような寸法で嵌め合わされている。また外筒底部には見取り枠から覗いた写生対象が見やすいように傾斜角度部に角度（８〜１２度）がついている。位置が決まったら両手がフリーの状態でデッサン（スケッチ）を容易に描くことが出来る。
【産業上の利用可能性】
【００１３】本発明の写生用機器はコンパクトで持ち運び便利であり、しかも初心者でも容易にデッサン（スケッチ）することが出来るので個人で写生を楽しむだけでなく、絵画教室や美術学校など教育用として使用するのに適している。
【図面の簡単な説明】
【００１４】
【図１】本発明機器（屋外、屋内用）の実施状態を示す外観図
【図２】本発明機器の詳細図
【図３】本発明機器（卓上用）の実施状態を示す外観図
【符号の説明】
【００１５】  １、  揺動板１
１ａ、見取り枠セット部
１ｂ、摩擦軸受け穴１
２、  揺動板２
２ａ、摩擦軸１
２ｂ、摩擦軸２
３、  画板セット板部
３ａ、画板セット部
３ｂ、摩擦軸受け穴２
４、  内筒
４ａ、見取り枠セット溝
５、  外筒
５ａ、傾斜角度部
【図１】
2009025777.tif 000003
【図２】
2009025777.tif 000004
【図３】
2009025777.tif 000005
(57)【要約】      （修正有）【課題】ローター式ピッチングマシンで、ボールを高速回転で送り出すローター部に貼り付けられたウレタンゴムが磨耗した場合に、ウレタンゴムのみ簡単に交換出来るローター分割型、単品部品ウレタンゴムリングを提供する。【解決手段】ローターの金属部とウレタンゴムの一体化を分離した構造とし、ウレタンゴムの交換のみが出来る様にしたものであり、ウレタンゴムをリング形状にして金属のローター１（金属ホイール）・中板リング（スペーサー）・ウレタンゴムリング２・ウレタンゴムリング押さえ３から構成されたものである。ウレタンゴムリングの形状はボールの材質にあわせた複数の形状からなる。また、高速回転での安定性を考慮したウレタンゴム成形・硬度での該品とする。【選択図】図１
2009183379.tif 000002
【特許請求の範囲】
【請求項１】
ローター式ピッチングマシンのローター部の金属ホイールとウレタンゴムが機械的に固定されたもので、図面１〜６に示すように金属ホイール・ウレタンゴムリング・ウレタンゴムリング押さえ・中板リング（スペーサー）・留めネジ、ナットで部品構成され組立てられたローターで、ウレタンゴムリング単体化を特徴とする。
【請求項２】
ウレタンゴムリングは該品押さえ用固定リングがグリップできるようにグリップ用の溝のある該品と該品に留めネジ用の穴のあいた形状該品もある。
【請求項３】
本機能を有するウレタンゴムリングは一般的に樹脂性ウレタンゴムで製造されるが、ボールの材質で摩擦抵抗が良好なゴム材料・樹脂材料で使用して作られる該品もある。
【発明の詳細な説明】
【技術分野】
【０００１】
本発明はローター式ピッチングマシンでボールを高速回転で送り出す、ローター部に貼り付けられたウレタンゴムが磨耗した場合にウレタンゴムのみ簡単に交換出来るローター分割型、単品部品ウレタンゴムリングに関するものである。
【背景技術】
【０００２】
一般的にローター回転式ピッチングマシンではボールを放出する部分の回転ローターは金属ホイールにウレタンゴムを厚く焼き付けて一体化にして製品化されてきた、高速回転で使用されるなかで焼付けウレタンゴムローターの個有する品質的安全性や使用している間にボールの摩擦でウレタンゴムが減ったり、表面が剥離したりしてピッチングマシンの安定性や安全性に欠けてくる事から定期的に交換が必要とされる
【発明の開示】
【発明が解決しようとする課題】
【０００３】
ローター式ピッチングマシンのローターは金属にウレタンゴムを焼付加工する一体型であるので製造コストが高く、また使用時に高速回転で回る為にボールとの強い摩擦でウレタンゴムが金属面から剥れて飛ぶ危険性がある。
また、ウレタンゴムの磨耗でマシンの動作性能が落ちて来る事から、定期的にローターの交換が必要であるが、ホイール、ウレタン一体での交換となり費用が大きな負担となっている。
【課題を解決するための手段】
【０００４】
当発明はこれまでにない、ローター部の金属ホイールとウレタンゴムの一体化構造を分離し、ウレタンゴムの交換のみが出来る様にしたものであり、ウレタンゴムをリング形状にしてローター部の金属ホイール・中板リング（スペーサー）・ウレタンゴムリング・ウレタンゴムリング押さえからの部品構成となる
ウレタンゴムリングの形状はボールの材質にあわせた、形状(図２〜６）の複数からなる。
また、高速回転での安定性を考慮したウレタンゴム成形・硬度・形状である。
【発明の効果】
【０００５】
ローター式ピッチングマシンのローター部のウレタンゴムが分割されることで既
存の持つローターの個有する品質の安定性が向上し、定期的の交換費用が削減で
きる。
【発明を実施するための最良の形態】
【０００６】
この発明の実施形態を図１に示す。
【図面の簡単な説明】
【０００７】
【図１】発明の実態の形態第１における立体断面図
【図２】発明の実態の形態第１における断面図
【図３】発明の実態の形態第２における断面図
【図４】発明の実態の形態第３における断面図
【図５】発明の実態の形態第４における断面図
【図６】発明の実態の形態第５における断面図
【符号の説明】
【０００８】
１    金属ホイール
２    ウレタンゴムリング
３    ウレタンゴムリング押さえ
４    留めネジ
５    中板リング（スペーサー）
６    留めナット
【図１】
2009183379.tif 000003
【図２】
2009183379.tif 000004
【図３】
2009183379.tif 000005
【図４】
2009183379.tif 000006
【図５】
2009183379.tif 000007
【図６】
2009183379.tif 000008
(57)【要約】【課題】生ごみや汚泥などの有機性廃棄物を乾燥発酵分解処理するシステムにおいて、完全に発酵分解できる有機性廃棄物乾燥発酵処理システムを提供する。【解決手段】生ごみや汚泥などの有機性廃棄物を乾燥発酵分解処理するシステムにおいて、マイクロバルビファー属（Ｍｉｃｒｏｂｕｌｂｉｆｅｒ）に属する微生物を用いて柑橘系果物類の有機性廃棄物を乾燥発酵分解処理することでこの微生物が増殖し、この乾燥発酵分解処理で処理された処理物には、この微生物が多く存在し、この乾燥発酵分解処理された処理物を生ごみや汚泥などの有機性廃棄物を乾燥発酵分解処理するための種菌として利用することで、温度・湿度・空気量などの変化に対しても影響を受けることがなく安定して完全に発酵分解処理することが可能となった。【選択図】なし【特許請求の範囲】
【請求項１】
生ごみや汚泥などの有機性廃棄物を乾燥発酵分解処理するシステムにおいて、マイクロバルビファー属（Ｍｉｃｒｏｂｕｌｂｉｆｅｒ）に属した微生物を用い柑橘系果物類の有機性廃棄物を乾燥発酵分解処理し、この微生物の増殖に適した環境を作り出し、これで処理された処理物にはこの微生物が多く存在し、この微生物を多く含んでいる処理物を生ごみや汚泥などの有機性廃棄物を乾燥発酵分解処理するための種菌として利用することで、温度・湿度・空気量などの変化に対しても影響を受けることなくこれらの有機性廃棄物を安定して乾燥発酵分解処理が可能な有機性廃棄物乾燥発酵分解処理システム。
【発明の詳細な説明】
【技術分野】
【０００１】  本発明は、生ごみや汚泥などの有機性廃棄物を乾燥発酵分解処理するシステムである。
【背景技術】
【０００２】  従来の生ごみや汚泥などの有機性廃棄物を乾燥発酵分解処理するシステムは、これらの有機性廃棄物を混合して乾燥発酵分解処理することが多く、乾燥発酵分解処理するための種菌に含まれている自然発生するような微生物にとっては、これらの有機性廃棄物を完全に乾燥発酵分解処理することができず、完全に乾燥発酵分解処理されていない有機性廃棄物が残った状態で処理物が発生し、この処理物をコンポストとして利用していた。【０００３】  また、乾燥発酵分解処理するための種菌に含まれている自然発生するような微生物は、生ごみや汚泥などの有機性廃棄物を乾燥発酵分解処理するシステムにおいて、温度・湿度・空気量などの変化により、元来の微生物は死滅し、この微生物とは異なる微生物が繁殖するために、安定した乾燥発酵分解処理ができないシステムであった。
【発明の開示】
【発明が解決しようとする課題】
【０００４】  従来の生ごみや汚泥などの有機性廃棄物を乾燥発酵分解処理するシステムにおいて、乾燥発酵分解処理するために自然発生するような微生物を種菌として使用しており、これらの有機性廃棄物を乾燥発酵分解処理する場合、この微生物では、完全に乾燥発酵分解処理することができず、完全に乾燥発酵分解処理されていないこれらの有機性廃棄物が残った状態で、この処理を終えていた。【０００５】  また、乾燥発酵分解処理するための種菌に含まれている自然発生するような微生物は、生ごみや汚泥などの有機性廃棄物を乾燥発酵分解処理するシステムにおいて、温度・湿度・空気量などの変化により、元来の微生物は死滅し、この微生物とは異なる微生物が繁殖することもあった。
【課題を解決するための手段】
【０００６】  この課題を解決するための手段は次の通りである。
生ごみや汚泥などの有機性廃棄物を乾燥発酵分解処理するシステムにおいて、乾燥発酵分解処理するための種菌として使用する微生物として、マイクロバルビファー属（Ｍｉｃｒｏｂｕｌｂｉｆｅｒ）に属する微生物を用いる。【０００７】  この微生物は、柑橘系果物類の有機性廃棄物を乾燥発酵分解処理する際の種菌に用い、この微生物が増殖するために有効な植物性たんぱく質が柑橘系果物類には多く含まれているのと、この微生物が増殖できるための環境を作り出し、この微生物がこの有機性廃棄物を完全に乾燥発酵分解処理するとともに、この処理された処理物にはこの微生物が多く存在することが判明した。これで処理された処理物を生ごみや汚泥などの有機性廃棄物を乾燥発酵分解処理するための種菌として用いると、これらの有機性廃棄物も完全に乾燥発酵分解処理することが可能となり、完全に乾燥発酵分解処理されていないこれらの有機性廃棄物は含まれなくなった。【０００８】  また、この微生物は、生ごみや汚泥などの有機性廃棄物を乾燥発酵分解処理するシステムにおいて、温度・湿度・空気量などが変化した場合においても、この微生物の活動領域が広いため死滅することがなく、この微生物と異なる微生物が繁殖することも妨げ、安定してこれらの有機性廃棄物を乾燥発酵分解処理することが可能となった。
【発明の効果】
【０００９】  マイクロバルビファー属（Ｍｉｃｒｏｂｕｌｂｉｆｅｒ）に属する微生物は、柑橘系果物類の有機性廃棄物を乾燥発酵分解処理する際の種菌として用い、この微生物がこの有機性廃棄物を完全に乾燥発酵分解処理し、この処理された処理物を生ごみや汚泥などの有機性廃棄物を乾燥発酵分解処理するための種菌として用い、これらの有機性廃棄物の完全な乾燥発酵分解処理することが可能となった。この処理で生成された処理物をコンポストとして利用する際、完全に乾燥発酵分解処理が行われているため、良質なコンポストとして野菜や果物などの栽培で痩せた土壌に散布することで、肥沃な土壌へと改質され良質な野菜や果物が収穫できる。【００１０】  また、この微生物は、生ごみや汚泥などの有機性廃棄物を乾燥発酵分解処理するシステムにおいて、温度・湿度・空気量などが変化した場合においても、安定してこれらの有機性廃棄物を乾燥発酵分解処理することが可能となった。この安定した乾燥発酵処理システムは、不安定な処理システムと比較して、メンテナンスにかかる手間が軽減され、これにかかる費用も軽減することができる。
【発明を実施するための最良の形態】
【００１１】  本発明は、マイクロバルビファー属（Ｍｉｃｒｏｂｕｌｂｉｆｅｒ）に属する微生物を柑橘系果物類の有機性廃棄物を乾燥発酵分解処理する際の種菌に用い、この微生物が増殖できるための環境として、この種菌を含んだこの有機性廃棄物を４〜５日堆積させておき、その後この種菌を含んだこの有機性廃棄物を切り返し、この作業を繰り返すことでこの種菌を含んだこの有機性廃棄物を高温状態に保つ環境を作り出し、この有機性廃棄物を乾燥発酵分解処理し、これで処理された処理物を種菌として生ごみや汚泥などの有機性廃棄物を乾燥発酵分解処理する処理システムに用い、これらの有機性廃棄物を乾燥発酵処理する処理システムとして実施する。
(57)【要約】【課題】従来の道路では、二酸化炭素の低減は、街路樹や、自動車やオートバイなどの排気ガスの規制で行っていました。しかし、道路そのものをうまく利用していくまでは、できていませんでした。【解決の手段】  道路の脇のブロックや、道路の舗装工事の際に、アスファルトの下に、ビーズ状の二酸化炭素低減装置を入れることにより、二酸化炭素の低減をしていくことができる。【選択図】図２
2009183928.tif 000002
【特許請求の範囲】
【請求項１】
ガラスのリサイクル品や、プリント基板のリサイクル品などを使用して、
ガラスを、溶解し、発泡剤を、入れたのちにブロック状に固めて、その穴の中に植物の細胞の中にある葉緑体を注入し、植物の光合成によって、大気中の二酸化炭素を吸収し低減する装置。
【請求項２】
ガラスのリサイクル品や、プリント基板のリサイクル品などを使用して、ガラスを、溶解し、ビーズ状にして、その中に植物の細胞の中にある葉緑体を注入し、植物の光合成によって、大気中の二酸化炭素を吸収し低減する装置。
【発明の詳細な説明】
【００１】本発明は、道路周辺の、二酸化炭素を吸収低減する装置である。
【課題を解決するための手段】
ガラスのリサイクル品や、プリント基板のリサイクル品などを使用して、溶解して、発泡剤をいれた後に固めて、その中に植物の細胞の中にある葉緑体を注入して、光合成によって、二酸化炭素を吸収低減する装置である。
ブロック状にしたものは、道路脇に設置をする。ビーズ状にしたものは、道路のアスファルトの下に埋めて路面から光と水分を吸収し光合成を行い二酸化炭素を吸収低減する。
従来は、道路の場所からは二酸化炭素を吸収するものはすくなかったが、浸透性アスファルトの上より水分は、吸収でき、光は、光ファイバーなどをしようして確保できる。
【発明の効果】
【００２】上述したように本発明の二酸化炭素低減装置は、道路上を含めた周辺の二酸化炭素の、増加を防ぎ、低減するという効果を発揮するものである。
【図１の簡単な説明】
【００３】ガラスを溶かし、発泡剤を入れてから固めると、小さい穴が、たくさんできます。
その穴の中に、葉緑体を注入する。そのブロックを道路脇に並べる。
【図２の簡単な説明】
【００４】ガラスを溶かしてビーズ状にして、その中に葉緑体を注入する。
そのビーズを、浸透性アスファルトの下に並べ、水分は、アスファルトの上より、光は、光ファイバーで、地上より光を確保
することにより、光合成によって二酸化炭素の低減を図る。
【図面の簡単な説明】
【００５】
【図１】ガラスを溶かし、発泡剤を入れてから固めブロック状にした物の横から見た外観図。
【図２】ガラスをビーズ状にし、浸透性アスファルトの下に並べた、道路の断面図。
【符号の説明】
【００６】１  発泡剤を入れてできた、穴
２  浸透性アスファルト
３  ビーズ状にした、二酸化炭素低減装置。
４  光ファイバー
５  土壌
【図１】
2009183928.tif 000003
【図２】
2009183928.tif 000004
(57)【要約】【課題】  従来の温暖化問題対策の−部の装置は、動力源に火力発電所電力を使用することで、排出二酸化炭素を増加させる機能的な矛盾が存する。これにより、排出二酸化炭素を激減することなく、地球温暖化問題の根本的解決をする装置ではない。【解決手段】  本発明は、二酸化炭素を改質し、電気化学的装置に導入し、消費することで、二酸化炭素を装置内で消費し、発電することで排出等二酸化炭素の激減の実現を提供しようとするものである。【選択図】図１
2009183930.tif 000002
【特許請求の範囲】
【請求項１】
排出等の二酸化炭素を一酸化炭素に改質して、電気化学的装置のマイナス極に送り込み、プラス極には、空気を送り込み、内部の一酸化炭素及び二酸化炭素等を消費、発電する装置
【請求項２】
地球温暖化問題の根本解決の一つとして、燃焼等で発生する二酸化炭素を改質及び電気化学的方法で激減させる装置
【発明の詳細な説明】
【発明の詳細な説明】
【技術分野】
【０００１】  本発明は地球温暖化問題の根本解決を目的に、排出二酸化炭素を改質し、電気化学的方法で激減する装置に関する。
【背景技術】
【０００２】  地球温暖化問題の原因としては、化石燃料の大量燃料により排出された炭酸ガス、すなわち、二酸化炭素が地上に滞留して、地上で発生した発熱を地上に封じ込めているからである。【０００３】  現在、排出された二酸化炭素は森林や海などの吸収活動以外は殆ど大気中に放出されていて、滞留二酸化炭素量は増え続けている。【０００４】  さらに、一部に使用されている排出等の二酸化炭素吸収除去装置の動力源は主に、火力発電所電力であり、その電力を発生するために別途二酸化炭素を排出する矛盾が存する。
【発明の開示】
【発明が解決しようとする課題】
【０００５】  以上により、現在、排出される二酸化炭素を激減するものはなく、地球温暖化問題の根本的解決をする装置はない。【０００６】  本発明は、燃焼時に二酸化炭素を改質して、電気化学的装置に導入して、消費して燃焼時の二酸化炭素の排出激減の実現を提供しようとするものである。
【課題を解決するための手段】
【０００７】  本発明は、上記目的を達成するために、燃焼時に発生する二酸化炭素を不完全燃焼とすることにより、一酸化炭素として排出し、その排出一酸化炭素を電気化学的装置である燃料電池のマイナス極に導入し、そのプラス極に空気を導入して、一酸化炭素及び発生した二酸化炭素を装置内で消費し、発電する。【０００８】  以上により、燃焼時、通常では発生する筈の二酸化炭素を上述の手段により、激減するものである。
【発明の効果】
【０００９】  上述したように、二酸化炭素が地球温暖化問題の原因であるとともに、一方、経済成長の原動力である電力を供給するために排出せざるを得ないという、大きな矛盾に、各国はその対策の是非論争に明け暮れているが、有効な対策は未だない。【００１０】  本発明は、この地球的大混乱であり、放置すれば人類滅亡するかもしれない、混沌としているなかで、燃焼はしても二酸化炭素を極力出さないことにより、二酸化炭素を激減することができるとともに、経済成長を実現するものである。【００１１】  当該二酸化炭素排出等激減装置を排出等二酸化炭素の除去手段として、先進国及び発展途上国が応分の役割分担をして、実行することにより、温暖化問題の防止策が具体化する。【００１２】  以上の活動を通して、新産業を創業し、雇用を創出することで、温暖化問題の防止策と経済成長の両立が可能となる。
【発明を実施するための最良の形態】
【００１３】  以下、本発明の実施の形態を図示にもとづき説明する。図において１が二酸化炭素排出等激減装置で、当該装置内、６の燃料電池の７のプラス極へ空気を導入し、８のマイナス極には３の二酸化炭素を４の改質装置で改質し５の一酸化炭素として導入する。以上の電気化学的反応により９の電力を供給する。
【図面の簡単な説明】
【００１４】
【図１】二酸化炭素排出等激減装置
【符号の説明】
【００１５】１  二酸化炭素排出等激減装置
２  空気
３  二酸化炭素
４  二酸化炭素の一酸化炭素改質装置
５  一酸化炭素
６  燃料電池
７  プラス極
８  マイナス極
９  電気出力
【図１】
2009183930.tif 000003
(57)【要約】【課題】  追い炊きした浴槽内のお湯を掻き混ぜるための、浴槽攪拌櫓漕ぎを提供する。【解決手段】  櫓漕ぎ受け台を浴槽の縁に掛け、櫓漕ぎ棒を円盤型スライド板受け部に差し込み、取っ手を握り櫓漕ぎ棒を左右又は前後に動作させることで、楽な力で団扇を仰ぐように攪拌羽根が動作しお湯を攪拌することを特徴とする浴槽攪拌櫓漕ぎ。【選択図】図１
2009183664.tif 000002
【特許請求の範囲】
【請求項１】
櫓漕ぎ受け台を浴槽の縁に掛け、櫓漕ぎ棒を円盤型スライド板受け部に差し込み、取っ手部を握り櫓漕ぎ棒を左右又は前後に動作させることで、楽な力で団扇を仰ぐように攪拌羽根部が動作しお湯を攪拌することを特徴とする浴槽攪拌櫓漕ぎ。
【発明の詳細な説明】
【技術分野】
【０００１】本発明は、追い炊きした浴槽内のお湯を掻き混ぜるための、浴槽攪拌櫓漕ぎに関するものである。
【背景技術】
【０００２】従来も、お湯を掻き混ぜる為の攪拌棒などが主流となっている。
【発明の開示】
【発明が解決しようとする課題】
【０００３】そのために次のような問題点があった。
（イ）掻き混ぜるためには、ある程度の力が必要である。
（ロ）健常者には他愛のないことでも、高齢者や力を出したくても出せない人には、大変な作業である。
（ハ）力を出すためには、足腰に負担がかかり辛い。
本発明は、これらの問題点を解決するためになされたものである。
【課題を解決するための手段】
【０００４】櫓漕ぎ受け台を浴槽の縁に掛け、櫓漕ぎ棒を円盤型スライド板受け部に差し込み、取っ手部を握り櫓漕ぎ棒を左右又は前後に動作させることで、楽な力で団扇を仰ぐように攪拌羽根部が動作しお湯を攪拌する。
以上を特徴とする浴槽攪拌櫓漕ぎである。
【発明の効果】
【０００５】てこの原理を応用したことで、必要以上の力は要らなくなり、足腰にも負担がかからなくなった。
【発明を実施するための最良の形態】
【０００６】以下、本発明の実施の形態について説明する。
（イ）浴槽部（９）の縁に掛ける櫓漕ぎ受け台（４）に滑り防止の吸盤（８）と円盤型スライド板（２）を差し込む円盤型スライド板受け部（３）を設ける。
（ロ）櫓漕ぎ棒（１）を円滑に動作させるための円盤型スライド板（２）を設ける。
（ハ）櫓漕ぎ棒（１）下部に攪拌羽根部（６）が約１２０度可動するように攪拌羽根収納部（５）に溝を作り、攪拌羽根部（６）収納後、脱落防止のため攪拌羽根留め具（７）で固定する。本発明は以上のような構造で、これを使用するときは、櫓漕ぎ受け台（４）を浴槽部（９）の縁に取り付け、櫓漕ぎ棒（１）の円盤型スライド板（２）を円盤型スライド板受け部（３）に差し込み、取っ手部（１０）を握り、左右又は前後に櫓漕ぎ棒を動かし攪拌羽根部（６）を団扇の様に動作させ使用する。
【図面の簡単な説明】
【０００７】
【図１】    本発明の分解斜視図
【図２】    本発明の断面図
【図３】    本発明の断面図
【図４】    本発明の断面図
【図５】    本発明の使用状態を示す斜視図
【符号の説明】
【０００８】１    櫓漕ぎ棒
２    円盤型スライド板
３    円盤型スライド板受け部
４    櫓漕ぎ受け台
５    攪拌羽根収納部
６    攪拌羽根部
７    攪拌羽根留め具
８    吸盤
９    浴槽部
１０  取っ手部
【図１】
2009183664.tif 000003
【図２】
2009183664.tif 000004
【図３】
2009183664.tif 000005
【図４】
2009183664.tif 000006
【図５】
2009183664.tif 000007
(57)【要約】【課題】  風呂敷を手軽にショルダーバッグにすることができる肩ひもを提供する。【解決手段】  バックル（１）で伸縮可能に工夫したテープ（２）の両脇に２つの輪（３）を固定することを特徴とする。【選択図】図１
2009183667.tif 000002
【特許請求の範囲】
【請求項１】
バックル（１）で伸縮可能に工夫したテープ（２）の両脇に２つの輪（３）を固定したショルダーバッグの肩ひも。
【発明の詳細な説明】
【技術分野】
【０００１】  バックル（１）で伸縮可能に工夫したテープ（２）の両脇に２つの輪（３）を固定したショルダーバッグの肩ひもに関するものである。
【技術背景】
【０００２】  従来、２つの輪を持ち手に利用して、風呂敷を手軽にハンドバッグにする方法がある。
【発明の開示】
【０００３】  これは次のような欠点があった。
硬い輪を持ち手にするので、手に握りにくく、手に持たなくてはならないので、両手をあけたいときには不便である。
本発明は、以上のような欠点をなくすためになされたものである。
【課題を解決するための手段】
【０００４】  バックル（１）で伸縮可能に工夫したテープ（２）の両端に２つの輪（３）を固定する。
本発明は、以上の構成よりなる風呂敷を手軽にショルダーバッグにすることができる肩ひもである。
【発明の効果】
【０００５】  風呂敷をショルダーバッグにすることにより、従来のハンドバッグ型よりも持ちやすくなり、使用中に終始両手をあけることができる。
【発明を実施するための最良の形態】
【０００６】  以下、本発明を実施するための最良の形態について説明する。
バックル（１）で伸縮可能に工夫したテープ（２）の両端に２つの輪をそれぞれ１つず  つ固定する。
【図面の簡単な説明】
【０００７】
【図１】  本発明の全体図である。
【図２】  本発明の使用例である。
【符号の説明】
【０００８】  １  バックル
２  テープ
３  ２つの輪
【図１】
2009183667.tif 000003
【図２】
2009183667.tif 000004